(57)【要約】      （修正有）【課題】被災時などの際に、リラックスした姿勢で休憩でき、身体の不自由な人などを、また階段などの足場が悪い箇所でも安定した姿勢で、且つ安全に運搬でき、また不使用時は折畳んでコンパクトに保管できる担架機能付き椅子を提供する。【解決手段】座部１を設けた矩形フレーム２と、背凭れ３を設けた矩形フレーム４と、支脚５とを備える。フレーム２とフレーム４を、重ね合わすように折畳み自在に連結する。支脚５を、フレーム材４ａに連結してフレーム４に重ね合わすように折畳み自在に形成する。またフレーム４は、一方の端部と他方の端部に把手１１、１２を設ける。接地側の他方の端部の把手１２は、上端の把持部１２ａを下端１２ｂから離してフレーム４の上方に配置自在に形成する。【選択図】図１
0003207765.tif 000002
【実用新案登録請求の範囲】
【請求項１】
座部が設けられている短尺の矩形フレームと、座部に座った人の背を支持する背凭れが設けられている長尺の矩形フレームと、この長尺の矩形フレームと協働して座部と背凭れに加わる荷重を支持する支脚とを備え、上記の短尺の矩形フレームと長尺の矩形フレームが、重ね合わされるように折畳み自在に連結され、上記の支脚は、長尺の矩形フレームの長手方向に沿った両側のフレーム材に連結されて長尺の矩形フレームに重ね合われるように折畳み自在に形成され、また長尺の矩形フレームは、背凭れ側の一方の端部と、接地側の他方の端部とに夫々把手が設けられ、接地側の他方の端部の把手は、上端の把持部が上記のフレーム材に枢着されている下端から離されて長尺の矩形フレームの上方に配置自在に形成されていることを特徴とする担架機能付き椅子。
【請求項２】
請求項１記載の担架機能付き椅子であって、背凭れの上部の表側に、浮き袋として機能する枕が着脱自在に設けられていることを特徴とする担架機能付き椅子。
【請求項３】
請求項２記載の担架機能付き椅子であって、枕が、ロープ状部材を備えて形成されていることを特徴とする担架機能付き椅子。
【考案の詳細な説明】
【技術分野】
【０００１】
本考案は、椅子に関し、更に詳しくは地震等の災害時の使用に適するよう形成した担架機能付き椅子に関するものである。
【背景技術】
【０００２】
従来、この種の椅子としては、例えば特許文献１に記載されているものがある。
この従来品は、持ち運びや収納、保管が便利になるよう折畳み式に形成され、布製の座部の両側に天秤棒が平行して左右一対状に設けられている。
【０００３】
しかし、この従来品は、座部に腰掛けることができるだけであったから、これによると、被災時などの際、リラックスした姿勢で休憩することができなかった。
【０００４】
またこの従来品は、上記の通り、座部と天秤棒が設けられているだけであった。
従って、これによると、身体の不自由な人などは、担架としての利用時に姿勢が不安定になり易く、また足場の悪い所では安全に運ぶことができない、という問題点があった。
【０００５】
また従来品は、上記の通り、天秤棒が座部の両側に、座部の前後方向に延ばされて突き出されていた。
従って、これによると、天秤棒の長さ分だけ保管スペースに高さや広さが必要になった。
【先行技術文献】
【特許文献】
【０００６】
【特許文献１】特開２００２−２７２７８８号公報
【考案の概要】
【考案が解決しようとする課題】
【０００７】
本考案は、このような従来品の問題点に鑑み、提案されたものである。
従って、本考案の解決しようとする技術的課題は、被災時などの際に、リラックスした姿勢で休憩でき、身体の不自由な人などを、また階段などの足場が悪い箇所でも安定した姿勢で、且つ安全に運搬でき、また不使用時は折畳んでコンパクトに保管できるよう形成した、使い勝手の良い担架機能付き椅子を提供することにある。
【課題を解決するための手段】
【０００８】
本考案は、上記の課題を解決するために、次のような技術的手段を採る。
即ち、本考案は、図１等に示されるように、座部１が設けられている短尺の矩形フレーム２と、座部１に座った人の背を支持する背凭れ３が設けられている長尺の矩形フレーム４と、この長尺の矩形フレーム４と協働して座部１と背凭れ３に加わる荷重を支持する支脚５とを備え、上記の短尺の矩形フレーム２と長尺の矩形フレーム４が、重ね合わされるように折畳み自在に連結され、上記の支脚５は、長尺の矩形フレーム４の長手方向に沿った両側のフレーム材４ａに連結されて長尺の矩形フレーム４に重ね合われるように折畳み自在に形成され、また長尺の矩形フレーム４は、背凭れ３側の一方の端部と、接地側の他方の端部とに夫々把手１１、１２が設けられ、接地側の他方の端部の把手１２は、上端の把持部１２ａが上記のフレーム材４ａに枢着されている下端１２ｂから離されて長尺の矩形フレーム４の上方に配置自在に形成されていることを特徴とする（請求項１）。
【０００９】
本考案の場合、座部１や背凭れ３の材質としては、例えば布やネット等の柔軟質の可撓部材がある。また本考案の場合、接地側の他方の端部の把手１２は、不使用時に邪魔にならないよう、例えばフレーム材に沿って配置されるのが好ましいが、これに限定されるものではない。
【００１０】
而して、本考案は、図１等に示されるように、背凭れ３の上部の表側に、浮き袋として機能する枕１５が着脱自在に設けられているのが好ましい（請求項２）。
【００１１】
なぜならこれによると、枕１５を背凭れ３から取り外し、浮き袋として投げ入れ、溺れている人の救助に利用できるからである。
【００１２】
また本考案の場合、枕１５は、ロープ状部材１７を備えて形成されているのが好ましい（請求項３）。
【００１３】
なぜならこれによると、例えば枕１５を投げ入れて救助するとき、ロープ状部材１７の端を持って溺れている人を引き寄せることができるからである。またこれによると、例えば被災により怪我をした人がいる場合、ロープ状部材１７を、止血や、腕、脚等の固定に使用できるからである。
【００１４】
なお、ロープ状部材１７は、断面円形には限られない。即ち、このロープ状部材１７は、例えば帯状（バンド状）でも良く、その断面形状や、材質、長さ等は、適宜選定されるので良い。
【考案の効果】
【００１５】
本考案は、このように形成されている。
従って、これによると、被災時などの際に、リラックスした姿勢で休憩でき、不使用時は折畳んでコンパクトに保管できる。
【００１６】
また本考案は、背凭れに寄り掛かった姿勢のまま担架として使用できる。
従って、これによれば、身体の不自由な人などを、階段などの足場が悪い箇所でも安定した姿勢で、且つ安全に運ぶことができる、という実用上優れた効果を奏する。
【図面の簡単な説明】
【００１７】
【図１】本考案の椅子の好適な一実施形態を示す斜視図である。
【図２】同上の椅子の側面図である。
【図３】同上の椅子の作用を説明するための要部断面図である。
【図４】同上の椅子の折畳み時の側面図である。
【図５】同上の椅子の使用状態を説明するための斜視図である。
【図６】同上の椅子の保管例を説明するための斜視図である。
【図７】枕を示し、Ａは正面図、Ｂは側面図である。
【図８】枕の使用例を説明するための要部斜視図である。
【図９】ロープ状部材の使用例を説明するための要部斜視図である。
【考案を実施するための形態】
【００１８】
以下、本考案の好適な一実施形態を、添付図面に従って説明する。
本考案は、図１等に示されるように、座部１が設けられている短尺の矩形フレーム２と、座部１に座った人の背を支持する背凭れ３が設けられている長尺の矩形フレーム４と、この長尺の矩形フレーム４と協働して座部１と背凭れ３に加わる荷重を支持する支脚５とを備えて形成されている。
【００１９】
座部１と背凭れ３は、この実施形態では一枚布で連続状に形成されている。布の周辺部６は、筒状に折り返されて縫い合わされている。この筒状の周辺部６に、短尺の矩形フレーム２と長尺の矩形フレーム４が通され、各フレーム２、４に布が張られて座部１と背凭れ３が形成されている。
なお、７は、布が破損したとき、使用者の落下を防止するための補助フレームである。
【００２０】
また短尺の矩形フレーム２と長尺の矩形フレーム４は、重ね合わせて折畳みが可能になるよう連結されている。具体的には、短尺の矩形フレーム２の後端部と、支脚５の所定箇所が、第１の横軸８で回動可能に連結されている。また短尺の矩形フレーム２は、後端部より幾分前側の位置が、連結部材９を介して長尺の矩形フレーム４に、第２の横軸１０で回動可能に連結されている。
【００２１】
また上記の支脚５は、ほぼコの字形のフレームで形成され、両端部が、長尺の矩形フレーム４の長手方向に沿った両側のフレーム材４ａに回動可能に連結されている。これにより、支脚５は、長尺の矩形フレーム４に重ね合わされて折畳みが可能になる。
【００２２】
また長尺の矩形フレーム４は、図１、図５等に示されるように、背凭れ３側の一方の端部と、接地側の他方の端部に、夫々把手１１、１２が設けられている。
【００２３】
背凭れ３側の一方の端部の把手１１は、図１等に示されるように、手指の挿し入れ口１１ａと、この手指の挿し入れ口１１ａに露出する両側のフレーム材４ａとで形成されている。
【００２４】
また接地側の他方の端部の把手１２は、この実施形態では高強度の帯紐で形成され、図１等に示されるように、常時は長尺の矩形フレーム４の両側のフレーム材４ａに沿って設けられている。
【００２５】
そして、この接地側の他方の端部の把手１２は、上端の把持部１２ａが上記のフレーム材４ａに枢着されている下端１２ｂから離されて長尺の矩形フレーム４の上方に配置自在に形成されている。
【００２６】
１３は、両側のフレーム材４ａに設けられている留金である。上端の把持部１２ａには、この留金１３に通されるボタン孔状の切れ目１２ａ１が形成されている。下端１２ｂは、上記のフレーム材４ａに、第３の横軸１４を介して枢着されている。
【００２７】
而して、この実施形態の本考案は、図１等に示されるように、背凭れ３の上部の表側に、枕１５が設けられている。この枕１５は、浮き袋として機能するよう浮力を備え、背凭れ３の上部に、面状ファスナー１６ａで着脱自在に設けられている。
【００２８】
面状ファスナー１６ａは、図７に示されるように、この実施形態では背凭れ３の背面側に回される延長部分１５ａに設けられている。この延長部分１５ａの裏側には、ロープ状部材１７と、このロープ状部材１７の収納用ポケット１８が設けられている。
【００２９】
面状ファスナー１６ａは、具体的には延長部分１５ａの裏側に設けられている。そして、この面状ファスナー１６ａが鉤着される他方の面状ファスナー１６ｂ（同図Ｂ参照）が、背凭れ３の背面に設けられている。
【００３０】
ロープ状部材１７は、この実施形態では高強度のバンドで形成され、全長は４メートルに選定されている。このロープ状部材１７は、延長部分１５ａに、取り付け具１９で着脱自在に設けられている。
【００３１】
次に、本考案品の使用例を説明する。
先ず、使用者は、図１、図２の状態において、座部１に腰掛け、背凭れ３に寄り掛かって座る。
【００３２】
次に、本考案品を担架として使用するときは、接地側の他方の端部の把手１２の上端を留金１３から外して引き起こし、図５に示されるように、介助者２０は、長尺の矩形フレーム４の背凭れ３側の一方の端部の把手１１と、接地側の他方の端部の把手１２を持つ。
【００３３】
そして、背凭れ３に寄り掛かって座った姿勢の人を、その状態のまま運搬する。
従って、本考案によれば、姿勢が安定した状態で担架として使用でき、安全に人を運搬できる。また本考案は、把手１２の上端の把持部１２ａが高い位置に配置される。従って、これによれば、介助者２０は、屈むことなく、楽な姿勢で人を運搬できる。
【００３４】
また本考案品を保管するときは、図３に示されるように、先ず、使用者は、短尺の矩形フレーム２を矢示のように回す。すると、連結部材９の作用で支脚５が下方に押し下げられ、図４に示されるように、背凭れ３に座部１が重ね合わされ、長尺の矩形フレーム４と短尺の矩形フレーム２と支脚５が折畳まれる。
そこで使用者は、この状態で、図６に示されるように、本考案品をロッカー２１に納めて保管する。
【００３５】
またこの実施形態の本考案品は、枕１５を備えて形成されている。
従って、本考案品によれば、背凭れ３に寄り掛かって頭を枕１５で支えてリラックスした姿勢で座ることができる。
【００３６】
また本考案品は、枕１５が浮き袋として機能し、ロープ状部材１７を備えている。
従って、これによれば、図８に示されるように、溺れている人２２がいるときは、枕１５を背凭れ３から取り外し、例えばロープ状部材１７の一端を持って枕１５を投げ入れ、人命救助に使用することができる。
【００３７】
また本考案品は、図９に示されるように、例えば怪我をした人２３の止血等にロープ状部材１７を使用することもできる。
なお、ロープ状部材１７は、常時は巻回して収納用ポケット１８に納めて配置する。
【００３８】
以上の処において、本考案の場合、短尺の矩形フレーム２、長尺の矩形フレーム４、また座部１や背凭れ３、及び把手１１、１２の材質やデザイン等は、自由である。
【符号の説明】
【００３９】
１      座部
２      短尺の矩形フレーム
３      背凭れ
４      長尺の矩形フレーム
４ａ    フレーム材
５      支脚
１１    背凭れ側の一方の端部の把手
１２    接地側の他方の端部の把手
１２ａ  把持部
１２ｂ  下端
【図１】
0003207765.tif 000003
【図２】
0003207765.tif 000004
【図３】
0003207765.tif 000005
【図４】
0003207765.tif 000006
【図５】
0003207765.tif 000007
【図６】
0003207765.tif 000008
【図７】
0003207765.tif 000009
【図８】
0003207765.tif 000010
【図９】
0003207765.tif 000011